(57)【特許請求の範囲】
【請求項１】
コイン(38)の案内孔(32a)を有する回転板(32)の正転によって押されつつ基板(25)上を移動する前記コインを、前記回転板の側方に位置する出口部(40a)へ案内するピン(45)を有すると共に、前記回転板が逆転する場合前記ピンが前記基板に沈み込むようにしたホッパ装置において、前記ピンは前記回転板の正転時に前記コインをガイドする際前記基板に沈み込むことなく、かつ、前記回転板の逆転時に前記コインに押されて回転されつつ前記基板に沈み込むことを特徴とするホッパ装置。
【請求項２】
押し出されて来るコインをガイドするためのピン（22）と、円柱形であって上面に前記ピンを起立し周囲面に溝（16、１７）をもつカム（15）と、前記カムを螺旋形のスプリング（13）を介在して昇降自在かつ回転自在に支持するための起立軸（12）と、前記溝に挿入されるストッパ（19、21）とを備えていることを特徴としたホッパ装置。
【発明の詳細な説明】
【０００１】
【発明の属する技術分野】
本発明は複数個のコインを収納して一個ずつ外部に放出するためのコインホッパ装置に関する。
とくに本発明は収納されたバラ積み状態のコインを一個ずつ放出するためのホッパ装置に関する。
本発明は例えばゲーム機に使用されるメダルやトークンを収納して一個ずつ確実に放出するためのホッパ装置に関する。
更に特定すると本発明はホッパ装置内から外部に放出されるコインやメダルをガイドするための規制ピンに関する。
【０００２】
なお本明細書において使用される用語「コイン」には流通通貨である小形円板体を含むことは勿論である。
また本明細書において使用される用語「コイン」にはゲームに使用される小形円板体のメダルやトークンなどを含むことは勿論である。
【従来の技術】
コインを放出するためのホッパ装置は此までに種々のものが開発されて来ている。たとえば本件出願人による特願平６−１２３０１９号には小形のコインホッパ装置が開示されている。
なお此の特願平６−１２３０１９号は米国において特許番号５，５６２，５３６号を獲得している。
【０００３】
これらによって開示されたコインホッパ装置が図４の斜面図に概略的に示されている。
そして当該ホッパ装置の要部が分解されて図５に示されている。
また此のホッパ装置の動作を説明するための拡大断面図が図６に示されている。図４のコインホッパ装置は複数個のコインをバラ積み状態で収納するためのホッパ手段（図４の符号２１、２１ａなど）を備えている。
また此の装置はホッパ手段内のコインを当該ホッパ手段の外に放出するための出口手段（符号４０、４０ａなど）を備えている。
また此の装置は出口手段に前記ホッパ手段内のコインを一個ずつ払い出すための手段（符号３２、３２ａなど）を備えている。
【０００４】
さらに当該装置は払い出し手段からのコインを前記出口手段にガイドするための手段（符号４５、４６など）を備えている。
ここで上述のホッパ装置におけるコインの送出について概略説明する。
まず基板２５下の電気モータ１６ｂが回転されると出力軸１６ｃを介在して回転板３２が回転される（図５を参照）。
回転板３２が回転されるとホッパ２１内のコイン（図示略）が案内孔３２ａに落ち込む。
そして案内孔３２ａ内の最も下のコインが基板２５上を移送される。
すなわち基板２５上のコインは回転板３２下の突起３２ｃによって押され基板２５上を移送される。
【０００５】
基板２５上を移送されるコイン３８はリング形の壁部材４０に形成された出口部４０ａの近くに来る（図６を参照）。コイン３８が出口部４０ａの近くに来ると二個のピン４５に当たって出口部４０ａ方向に向けられる。ほぼ同時に回転板３２と共に移動している押し出しピン４３にコイン３８が当たる。これによって当該コイン３８はピン４５と押し出しピン４３によって出口部４０ａに案内される。このときコイン３８は飛び出すことなく出口ローラ５１に係合してスムーズに放出される。
【０００６】
上述のように従来のガイドピンは具体的には概略Ｉ形の板バネ４６の先端部に二個のピン４５が植設されていた（図６を参照）。
なお図５から明らかなように円柱形のピン４５の頂面は斜めにカットされている。これらピン４５の斜めカットはコイン詰まりなどがあって回転板３２が逆転される場合に使用される。
すなわち回転板３２が逆回転されるときにコインが板バネ４６に抗してピン４５を乗り越えるようにしている。
言い換えると回転板３２が逆回転されたときにコインや部材が損傷され無いようにするためである。
【０００７】
【発明が解決しようとする課題】
しかしながら板バネに固定されたピンを斜めカットする場合には其の加工が困難であるという問題点があった。
言い換えると板バネにカシメられたピンを斜めカットするためには精度が要求されるという問題点があった。
また円柱形のピンを斜めカットして板バネに固定する場合には更に其の加工が困難であるという問題点があった。
言い換えると予めピンを斜めカットして板バネにカシメる場合も要求される精度が得られ難いという問題点があった。
【０００８】
本発明はコインホッパ装置に使用されるガイドピンの加工を容易にする目的から開発されたものである。
言い換えると本発明はガイドピンの加工精度を必要としないようにする目的から開発されたものである。
具体的には本発明はコインホッパ装置に使用されるガイドピンを成形品にする目的から開発されたものである。
【０００９】
【課題を解決するための手段】
本発明の第１の発明は、コイン(38)の案内孔(32a)を有する回転板(32)の正転によって押されつつ基板(25)上を移動する前記コインを、前記回転板の側方に位置する出口部(40a)へ案内するピン(45)を有すると共に、前記回転板が逆転する場合前記ピンが前記基板に沈み込むようにしたホッパ装置において、前記ピンは前記回転板の正転時に前記コインをガイドする際前記基板に沈み込むことなく、かつ、前記回転板の逆転時に前記コインに押されて回転されつつ前記基板に沈み込むことを特徴とするホッパ装置である。
本発明の第２の発明は、押し出されて来るコインをガイドするためのピン（22）と、円柱形であって上面に前記ピンを起立し周囲面に溝（16、１７）をもつカム（15）と、前記カムを螺旋形のスプリング（13）を介在して昇降自在かつ回転自在に支持するための起立軸（12）と、前記溝に挿入されるストッパ（19、21）とを備えていることを特徴としたホッパ装置である。
【００１０】
【発明の実施の形態】
以下に本発明を其の実施の形態について添付の図面を参照しつつ説明する。
図１は本発明による一実施例を概略的に示した拡大正面図である。
図２は図１の実施例の取り付け状態を示した斜面図である。
図３は図１の動作状態を示す斜面図である。
図１に示される大きな概略Ｕ形の１１は金属成型品の固定部材である。
この固定部材１１の外向きになる各先端部はホッパ装置の基板１０の下面にそれぞれ固定される。
Ｕ形の固定部材１１の中央部には少し長い起立軸１２が貫通して固定されている。
【００１１】
そして起立軸１２の内端部には螺旋形のスプリング１３が昇降自在に外装されている。
さらに起立軸１２の内端部には円柱形のカム１５が回転自在かつ昇降自在に外装されている。
そして金属成型品のカム１５の周囲面には一対の溝１６と１７が形成されている。
またＵ形の固定部材１１の各端部には一対のストッパ１９と２１がそれぞれ固定されている。
そして此等のストッパ１９と２１はカム１５の溝１６と１７にそれぞれスライド自在に挿入されている。
なおカム１５の上面にはコインをガイドするためのピン２２が形成されている。
【００１２】
上述の構成からなる本実施例をコインホッパ装置の基板に取り付ける場合について説明する。まず大きな矩形金属板である基板１０のコイン（図示略）を放出するための通路９近くに円弧孔７を開口しておく（図２を参照）。こののちＵ形の固定部材１１の各先端部を基板１０の下面に固定してピン２２を円弧孔７から突出しておく。かくしてコイン放出用のディスク６が反時計方向に回転されるとコインがピン２２にガイドされて放出される。
【００１３】
すなわちコインの放出時には図３の（Ａ）に示されようにカム１５が一対のストッパ１９と２１によって移動されることがない。
言い換えると一対のストッパ１９と２１が一対の溝１６と１７の下端部に接触してカム１５は移動されない。
一方、コイン放出用のディスク６が時計方向に回転されるとコインはピン２２に当たるものの放出されないことになる。
すなわちコイン放出用ディスク６の逆回転時には図３の（Ｂ）に示されようにピン２２を介在してカム１５が回転される。
言い換えるとピン２２がコインに押されるとカム１５がスプリング１３に抗して回転される。
【００１４】
カム１５は一対のストッパ１９と２１ならびに一対の溝１６と１７を介在して移動される。
この結果、ピン２２は基板１０よりも下に沈み込むことになってコインは当該ピン２２の上を通過することになる。
したがってコイン放出用のディスク６が逆回転されてもコインや部材は損傷されないことになる。
上述したように本実施例は螺旋形スプリング１３以外の部材は樹脂あるいは金属の成型品でも良いことになる。
またカム１５には上から下への斜め直線的な溝１６と１７が形成されているが他の形状であっても良いことは勿論である。
【００１５】
たとえば溝１６と１７をＶ形状にしても良いことは勿論である。
この場合、コイン送りのときピン２２が円弧孔７内の端部によってストップされることになる。
言い換えるとピン２２はコイン送りのときもスプリング１３の弾性力を利用できることになる。
すなわちピン２２がクッション性を有することになってアルミニウム硬貨などの柔らかい金属を損傷しないことになる。
この場合には螺旋形スプリング１３の一端部がカム１５に固着され其の他端部が固定部材１１に固着される。
【００１６】
【発明の効果】
以上のように本発明は部材を成型品によって構成できる構造にしたためガイドピンの加工精度を緩くすることが出来る。
言い換えると本発明によるとコインホッパ装置に使用されるガイドピンを極めて容易に製造することが出来る。
【図面の簡単な説明】
【図１】図１は本発明による一実施例を概略的に示した拡大正面図である。
【図２】図２は図１の実施例の取り付け状態を示した斜面図である。
【図３】図３は図１の動作状態を示す斜面図である。
【図４】図４は従来例のホッパ装置を概略的に示す斜面図である。
【図５】図５は図４のホッパ装置の要部を分解して示した斜面図である。
【図６】図６は図５のホッパ装置の動作を説明するための拡大断面図である。
【符号の説明】
１２：起立軸、
１３：螺旋形のスプリング、
１５：円柱形のカム、
１６：溝、
１７：溝、
１９：ストッパ、
２１：ストッパ、
２２：コインをガイドするためのピン。
【図１】
0004129515.tif 000002
【図２】
0004129515.tif 000003
【図３】
0004129515.tif 000004
【図４】
0004129515.tif 000005
【図５】
0004129515.tif 000006
【図６】
0004129515.tif 000007